(57)【要約】      （修正有）【課題】表示環境の異なる電子ボードシステムにおいて共通に利用されるツールバーに関し、表示環境に応じたツールバーの表示設定変更を可能にして、作業領域を圧迫させることなく、統一したツールバーの利用を可能とする電子ホワイトボードシステムを提供する。【解決手段】電子ボードシステムの制御用コンピュータに備えられたツールバー表示制御手段２００は、表示領域算出手段２０１と、表示アイコンサイズ変更手段２０２と、ツールバー表示行数変更手段２０３と、アイコン文字列表示方法決定手段２０４との各処理手段と、ツールバー表示設定記憶手段２０５と、登録アイコン記憶手段２０６との各情報記憶手段を有し、画面の表示設定及び予め設定された最大占有表示割合に基づき、ツールバーの最大表示領域及び必要表示領域を算出し、各表示領域の比較結果に応じて、アイコン表示サイズ，ツールバー表示行数，アイコン文字列表示方法等の表示設定を変更する。【選択図】図２
2006092269.tif 000002
【特許請求の範囲】
【請求項１】
制御用コンピュータと、当該制御用コンピュータの出力画面を表示する電子ボードとを備え、前記制御用コンピュータは、前記出力画面に表示するツールバーの表示制御を行うツールバー表示制御手段を有する電子ボードシステムにおいて、
前記ツールバー表示制御手段は、予め設定されたツールバーの最大表示割合，登録アイコン識別情報，アイコン表示サイズを含む表示設定情報を記憶する表示設定記憶手段と、
前記表示領域割合と前記電子ボードの解像度及び表示画面サイズを含む表示環境情報とに基づき、前記電子ボード内のツールバー最大表示領域を算出するとともに、前記表示設定記憶手段に記憶された登録アイコン数，アイコン表示サイズに基づきツールバー必要表示領域を算出する表示領域算出手段と、
前記ツールバー最大表示領域と、前記ツールバー必要表示領域とを比較し、当該比較結果に応じて、前記アイコン表示サイズを変更する表示アイコンサイズ変更手段とを備えることを特徴とする電子ボードシステム。
【請求項２】
前記表示設定情報は、ツールバー表示行数を含むものとし、
前記ツールバー表示制御手段は、前記比較結果に応じて、前記ツールバー表示行数を変更する表示行数変更手段をさらに備えることを特徴とする請求項１に記載の電子ボードシステム。
【請求項３】
前記表示設定情報は、アイコンの機能を示すアイコン文字列の表示サイズを含むものとし、
前記制御用コンピュータは、前記表示アイコンサイズ変更手段により変更されたアイコン表示サイズに応じて、前記アイコン文字列をアイコン画像に合成して表示するか、ポップアップ表示するかを決定するアイコン文字列表示方法決定手段をさらに備えることを特徴とする請求項１又は２のいずれかに記載の電子ボードシステム。
【発明の詳細な説明】
【技術分野】
【０００１】
本発明は、電子ボードシステムのボード上に表意されるツールバーの表示制御手段に関し、特に、アイコンの表示サイズ，表示行数等の表示設定の変更を行うための構成に関する。
【背景技術】
【０００２】
従来より、電子ボードシステムと呼ばれる製品では、座標認識や文字認識ができる大型の電子的なホワイトボードとプロジェクターとを備えた構成や、液晶モニターとタッチパネルを複合させたモニター一体型の小型電子ボードを備えた構成により、プロジェクター又は小型電子ボードに接続されたパーソナルコンピュータ等の操作画面を映し出し、その画面上でタッチペンなどを用いて、画面処理や各種操作を行うことを可能としている。
このような電子ボードシステムにおいては、タッチペンにより電子ボード上でアプリケーションの起動、手書き入力、ジェスチャーの指定によるコマンドの切り替えなどの操作を可能としている。この場合、タッチペンによる操作支援を行うために、煩雑に使用されるアプリケーションや、コマンド、操作手順などをアイコン化し、画面の下等にツールバーとしてまとめて表示することが一般に行われていた。
ツールバーの表示に関しては、従来、表示画面の大きさや必要となる作業領域の大きさ等に応じて、アイコンのサイズやツールバーの表示領域の大きさを設定した複数のツールバーを予め用意しておき、アプリケーションに応じた選択や、ユーザの任意の選択により表示するツールバーを決定することとした構成が公知となっている（例えば、特許文献１参照。）。
【特許文献１】特開２００２−２５９００９号公報
【発明の開示】
【発明が解決しようとする課題】
【０００３】
しかし、前記特許文献１の構成では、電子ボードシステムの表示環境に応じて、表示領域の大きさ，アイコンのサイズ，表示方法，表示するアイコンの種類等をカスタマイズしたツールバーを予め用意しておくことが必要となるため、異なる表示環境毎にカスタマイズ作業をやり直す必要があり、ユーザにとって煩雑なものとなっていた。
また、表示環境の異なる電子ボードシステムでは、それぞれの環境に応じたツールバーを選択させることとなるため、作業環境の統一性を確保することが困難となっていた。この場合、共通のツールバーを選択させることは可能ではあるが、表示画面の解像度等によってはツールバーの占有領域が大きなものとなってしまい、必ずしも適切な作業領域を確保することができず、操作性や作業領域の視認性が低下するという問題があった。
【０００４】
本発明は前記課題を解決するためのものであり、大型の電子ホワイトボードやモニター一体型の小型電子ボード等の表示環境の異なる電子ボードシステムにおいて共通に利用されるツールバーに関し、各表示環境に応じたツールバーの表示設定を行うことにより、作業領域を圧迫することなく統一した作業環境を提供することが可能になるとともにユーザによるツールバーのカスタマイズ作業を最低限に抑えることを可能とする電子ホワイトボードシステムを提供することを目的とする。
【課題を解決するための手段】
【０００５】
前記課題を解決するため本発明は、制御用コンピュータと、当該制御用コンピュータの出力画面を表示する電子ボードとを備え、前記制御用コンピュータは、前記出力画面に表示するツールバーの表示制御を行うツールバー表示制御手段を有する電子ボードシステムにおいて、前記ツールバー表示制御手段は、予め設定されたツールバーの最大表示割合，登録アイコン識別情報，アイコン表示サイズを含む表示設定情報を記憶する表示設定記憶手段と、前記表示領域割合と前記電子ボードの解像度及び表示画面サイズを含む表示環境情報とに基づき、前記電子ボード内のツールバー最大表示領域を算出するとともに、前記表示設定記憶手段に記憶された登録アイコン数，アイコン表示サイズに基づきツールバー必要表示領域を算出する表示領域算出手段と、前記ツールバー最大表示領域と、前記ツールバー必要表示領域とを比較し、当該比較結果に応じて、前記アイコン表示サイズを変更する表示アイコンサイズ変更手段とを備えることを特徴とする。
また、前記表示設定情報は、ツールバー表示行数を含むものとし、前記ツールバー表示制御手段は、前記比較結果に応じて、前記ツールバー表示行数を変更する表示行数変更手段をさらに備えることを特徴とする。
また、前記表示設定情報は、アイコンの機能を示すアイコン文字列の表示サイズを含むものとし、前記制御用コンピュータは、前記表示アイコンサイズ変更手段により変更されたアイコン表示サイズに応じて、前記アイコン文字列をアイコン画像に合成して表示するか、ポップアップ表示するかを決定するアイコン文字列表示方法決定手段をさらに備えることを特徴とする。
【発明の効果】
【０００６】
以上の構成により本発明では、電子ボードシステムの表示環境に応じたツールバーのアイコン表示サイズの変更を行うことができるため、作業領域を圧迫することなく、異なる表示環境で共通のツールバーを利用させることが可能となる。従って、ユーザにとっては、異なる表示環境毎にツールバーのカスタマイズを行う必要が無くなる。
また、この場合のツールバーの表示変更として、アイコン表示サイズの変更の他に、ツールバーの表示行数の変更を行うこととしたので、ツールバーの最大表示領域の設定に応じた適切な表示設定の変更が可能となる。
また、各アイコンに設定された文字列の表示方法を、アイコン表示サイズに応じて変更することとしたので、画面の表示環境に応じた適切な文字列表示を行うことが可能となる。
【発明を実施するための最良の形態】
【０００７】
以下、本発明の一実施の形態に係る電子ボードシステムについて、図面に基づき説明する。
図１は、本発明の一実施の形態に係る電子ボードシステムの概略構成を示す図である。
図１（ａ）に示す電子ボードシステム１Ａは、制御用コンピュータ２と、制御用コンピュータ２に接続された大型の電子ホワイトボード３及びプロジェクター等の表示画面投影装置４と、入力装置としてのタッチペン５，キーボード６とを備える。
図１（ｂ）に示す電子ボードシステム１Ｂは、電子ボードシステム１Ａと同様に、制御用コンピュータ２と、入力装置としてのタッチペン５，キーボード６とを備えるとともに、電子ホワイトボード３，表示画面投影装置４の代わりに制御用コンピュータ２に接続されたモニター一体型の小型電子ボード７を備える。
制御用コンピュータ２は、通常のパーソナルコンピュータと同等の機能を有するもので、キーボード６，マウス等を用いて操作を行う。また、電子ホワイトボード３又は小型電子ボード７に表示された制御用コンピュータ２の表示画面に対して、タッチペン５を用いて操作を行うことが可能となっている。制御用コンピュータ２で動作するソフトウェアの設定情報等は外部記憶装置に保存することができ、同じソフトウェアがインストールされている別の制御用コンピュータに設定情報を読み込ませて同じ設定を利用することができる。
【０００８】
図２は、本実施の形態に係る電子ボードシステム１Ａ，１Ｂの制御用コンピュータ２に備えられたツールバー表示制御手段の概略構成を示すブロック図である。
図２に示すように、ツールバー表示制御手段２００は、表示領域算出手段２０１と、表示アイコンサイズ変更手段２０２と、ツールバー表示行数変更手段２０３と、アイコン文字列表示方法決定手段２０４との各処理手段と、ツールバー表示設定記憶手段２０５と、登録アイコン記憶手段２０６との各情報記憶手段を有する。
表示領域算出手段２０１は、予め設定された最大占有表示割合に基づき、表示画面におけるツールバーの最大表示領域を算出するとともに、アイコンサイズ等に基づき必要表示領域を算出する。ここで、最大占有表示割合とは、表示画面領域に対し、ツールバーを表示するための領域の割合を示すものであり、本実施の形態では縦方向と横方向の２つの値についての割合が設定される。また、最大表示領域は表示画面上においてツールバーの表示可能な領域を示し、必要表示領域はツールバーの表示のために必要な領域を示す。
アイコンサイズ変更手段２０２は、算出された最大表示領域及び必要表示領域に応じて、既定のアイコンサイズの変更を行う。
ツールバー表示行数変更手段２０３は、算出された最大表示領域及び必要表示領域に応じて、ツールバーの表示行数の変更を行う。
アイコン文字列表示方法決定手段２０４は、アイコンサイズ（アイコン画像サイズ）に応じて、アイコンの機能説明のための文字列をアイコン表示画像に合成するか、ポップアップ表示とするかを決定する。
ツールバー表示設定記憶手段２０５及び登録アイコン記憶手段２０６には、後述するように、表示画面上に表示するツールバーの表示設定情報及びツールバーに登録されたアイコンの情報が記憶される。
【０００９】
図３は、各情報格納手段のデータ構造の一例を示す図である。
図３（ａ）に示すように、ツールバー表示設定記憶手段２０５には、ツールバーに登録されているアイコンの表示サイズ３１１，ツールバーの表示行数３１２，アイコン文字列の表示方法３１３，アイコン文字列の表示サイズ３１４，表示画面に対するツールバーの最大占有表示割合３１５，表示画面における最大表示領域３１６の各情報が記憶される。ツールバーが表示画面に表示される前は、表示サイズ３１１，表示行数３１２，表示方法３１３には既定値が記憶され、ツールバー表示後は、各処理手段２０１〜２０４の処理結果に応じて変更された表示サイズ３１１，表示行数３１２，表示方法３１３の各値が記憶される。この場合の既定値として、表示サイズ３１１には後述するアイコン情報に記憶されているサイズを、表示行数３１２には「１」を、表示方法「合成」を、文字列表示サイズ３１４には後述するアイコン情報に記憶されているサイズを記憶しておく。文字列表示サイズ３１４には、後述するアイコン情報に記憶されているサイズを記憶しておく。最大表示領域３１６は、表示画面設定情報と最大占有表示割合とに基づき算出される値が記憶される。本実施の形態では、電子ボードシステム１Ａ，１Ｂの２つの環境で、共通のツールバーを持つソフトウェアを利用し、ツールバーには自由にアイコンを登録することができるものとする。
図３（ｂ）に示すように、登録アイコン記憶手段２０６には、アイコン情報３２０とアイコン登録情報３３０とが記憶される。
アイコン情報３２０には、ツールバーに登録可能な全てのアイコンについて、各アイコンを一意に識別するためのアイコンＩＤ３２１と、ツールバー上の表示画像を示すアイコン表示画像３２２と、アイコンの機能を示す文字列としてのアイコン文字列３２３と、アイコンの表示サイズを示すアイコンサイズ３２４と、文字列表示サイズ３２５とが含まれる。
アイコン登録情報３３０には、ツールバーに登録されたアイコンを示すアイコンＩＤ３３１と、アイコン登録履歴３３２と、アイコン使用回数３３３とが含まれる。
以上の構成により、各電子ボードシステム１Ａ，１Ｂにおいてツールバーに登録されたアイコンの情報等が各情報記憶手段に記憶される。登録アイコン記憶手段２０６では、ツールバーに登録されているアイコンをアイコンＩＤ３３１で管理しており、ツールバー表示制御手段２００は、アイコンＩＤ３３１に基づきアイコン情報３２０からアイコン表示画像３２２，アイコン文字列３２３を必要に応じて取得して、ツールバーに表示する。
【００１０】
図４は、一般的な表示画面におけるツールバーの表示状態を説明するための図である。
表示画面４００の中にはタッチペンによる処理操作の可能な作業領域４０１が設定されるとともに、ツールバー４０２が表示される。
この場合、ツールバー４０２は、表示画面４００内の任意の位置に配置することができ、さらに、縦置き，横置きの両方に対応している。向きの変更に関しては、ユーザが任意で方向変更を行うほかに、配置する画面の背景位置によって自動的に表示方向を変化させることとしてもよい。
【００１１】
図５は、本実施の形態に係るツールバー表示制御手段２００によるツールバー表示処理手順を示すフローチャートである。本フローチャートに示す処理は、電子ボードシステム起動後のツールバー表示の際又は表示画面環境が変更された際に行う他、ユーザのペン操作等によりツールバーにおける登録アイコンの追加，削除がされた場合にも行うものとする。
まず、ツールバー表示領域算出手段２０１は、ツールバー表示設定記憶手段２０５を参照し、ツールバーの最大占有表示割合が設定されているか否かを判定する（ステップ５０１）。最大占有表示割合が設定されている場合には、ツールバーを持つソフトウェアが動作しているオペレーティングシステムと電子ボードから取得した表示画面領域の設定情報と、最大占有表示割合とから、ツールバーの表示可能な最大表示領域を算出する（ステップ５０２）。
このときの表示画面領域の設定は、論理的な画面解像度と物理的な表示画面サイズの両方を考慮することで、タッチペン２で操作しやすいサイズを算出できる。算出した値は現在の表示画面環境設定が変更されるまで記憶しておく。また、最大表示領域としては縦幅値Ｘ１，横幅値Ｙ１を算出する。
次に、登録アイコン記憶手段２０６に記録されている登録アイコンを、ツールバー表示設定記憶手段２０５に記憶された各既定値により表示した場合に必要となる必要表示領域を算出する（ステップ５０３）。この場合、必要表示領域についても縦幅値Ｘ２，横幅値Ｙ２を算出する。
算出した最大表示領域と必要表示領域について、縦幅値と横幅値とのそれぞれの差分値（Ｘ＝Ｘ２−Ｘ１，Ｙ＝Ｙ２−Ｙ１）を算出し（ステップ５０４）、当該差分値（Ｘ，Ｙ）のいずれか一方が正の値であるか否かを判定する（ステップ５０５）。差分値（Ｘ，Ｙ）の算出では、便宜上、最大表示領域と必要表示領域との原点を重ね合わせ、必要表示領域を基準とした縦方向、横方向の領域同士の差分距離を差分値Ｘ，Ｙとして算出する。算出した差分値（Ｘ，Ｙ）のいずれか一方でも正の値となった場合には、必要表示領域が最大表示領域よりも大きいということになるため、ツールバーに登録されたアイコンサイズ又はツールバーの表示行数のいずれかを変更することとなる。
差分値（Ｘ，Ｙ）のいずれか一方でも正の値となった場合には、さらに、縦幅の差分値Ｘが正の値であるか否かを判定する（ステップ５０６）。
縦幅の差分値Ｘが正の値である場合には、表示アイコンサイズ変更手段２０２がアイコンサイズを変更して（ステップ５０７）、再度必要表示領域の算出を行う（ステップ５０３）。具体的にはアイコンサイズを所定の割合で縮小した後、必要表示領域の算出を行うこととなる。
一方、ステップ７０６において、縦幅の差分値Ｘが負の値である場合には、横幅の差分値Ｙが正の値ということになるため、表示行数を１増やしても最大表示領域内に収まるか否かを判定し（ステップ５０８）、最大表示領域内に収まる場合には、ツールバー表示行数変更手段２０３が表示行数を１追加して（ステップ５０９）、再度必要表示領域の算出を行う（ステップ５０３）。表示行数を１増やすと最大表示領域内に収まらない場合には、アイコンサイズを変更して（ステップ５０７）、再度必要表示領域の算出を行う（ステップ５０３）。
以上のアイコンサイズの変更（ステップ５０７）又は表示行数の追加（ステップ５０９）を、差分値（Ｘ，Ｙ）が双方とも負の値となるまで繰返す（ステップ５０５）。
差分値（Ｘ，Ｙ）が双方とも負の値となった場合には（ステップ５０５）、表示行数を１減らしても必要表示領域が最大表示領域内に収まるか否かを判定する（ステップ５１０）。具体的には、表示行数を１減らした状態の必要表示領域の算出を行い、必要表示領域の横幅値Ｙ２が最大表示領域の横幅値Ｙ１以下となるかを判定する。
判定の結果、最大表示領域内に収まる場合には、ツールバー表示行数変更手段２０３が表示行数を１減少させる(ステップ５１１)。一方、表示行数を１減らすと最大表示領域内に収まらない場合には、表示行数は変更しない。
以上の処理により設定されたアイコンサイズ及び表示行数をツールバー表示設定記憶手段２０５に記憶した後、後述するアイコン文字列の表示方法決定処理を行い（ステップ５１２）、決定した表示方法をツールバー表示設定記憶手段２０５に記憶する。
最後にツールバー表示設定記憶手段２０５に記憶された値に基づきツールバーを表示する（ステップ５１３）。
なお、最大占有表示割合の設定がされていない場合（ステップ７０１でＮｏの場合）には、既定値でツールバーを表示する（ステップ５１３）。
アイコン登録・登録解除時も同様に、新しくツールバーに登録・登録解除したアイコン情報３２０を元に登録アイコン記憶手段２０６の情報を更新し、更新された情報とツールバー表示設定記憶手段２０５の情報とで必要表示領域を算出し（ステップ５０３）、以降の処理を繰返す。この場合、最大表示領域は既に算出した値がツールバー表示設定記憶手段２０５に記憶されているため、ステップ５０２を省略することができる。
以上の説明は、ツールバーが横置きである場合についての処理であるが、ツールバーが縦置きの場合、縦幅，横幅（Ｘ，Ｙ）に関する処理をそれぞれ逆にすることで対応することができる。
【００１２】
図６は、ツールバー表示処理の一例として、ツールバーへの登録アイコンの追加・削除に伴うツールバーの表示変更を示す図である。図６において、点線は最大表示領域６１０を示しており、最大表示領域６１０内にツールバー６２０Ａ〜Ｅが収まるように、表示変更処理が行われる。
図６（ａ）に示すように、ツールバー６２０Ａに対しては、ツールバー６２０Ａ上の任意の位置へのドラッグアンドドロップにより登録アイコンの追加が可能となっている。本例では、「手書きペン」機能のアイコンをツールバー６２０Ａに登録する場合を示している。
図６（ｂ）に示すように、登録アイコンが追加された場合、ツールバー６２０Ｂでは、必要表示領域が最大表示領域６１０よりも大きくなってしまうため、アイコンサイズ縮小又は行数追加のいずれかの処理を行う。図６（ｂ）の例では、横幅の差分値Ｙが正の値となり、さらに、１行追加しても最大表示領域６１０から出ないため、表示行数の追加を行う（図６（ｃ）のツールバー６２０Ｃ参照。）。
一方、図６（ｄ）に示すように、ツールバー６２０Ｄ上に表示されている任意のアイコンをツールバー６２０Ｄ上以外の位置にドラッグアンドドロップすることによってリアルタイムで登録アイコンの解除が可能となっている。本例では、「イレーサ」機能のアイコンの登録解除を行う場合を示している。本例のように、ツールバー６２０Ｄから登録アイコンが削除されたことにより、表示行数を減らしても最大表示領域６１０に収まる場合（横幅の差分値Ｙが負の場合）には、表示行数を１行減らす（図６（ｄ）のツールバー６２０Ｅ参照。）。
【００１３】
図７は、アイコン文字列の表示方法決定処理（図５のステップ５１２）の詳細を示すフローチャートである。
まず、ツールバーに表示するアイコン画像の表示幅とアイコン文字列の表示幅とを比較する（ステップ７０１）。ここで、アイコン画像の表示幅は、表示画面の解像度の設定変更や、アイコンサイズの変更処理（図５のステップ５０７）に伴い変化する。また、アイコン文字列の表示幅は、既定のアイコン画像の表示幅に対応して予めフォントサイズが設定されており、表示画面の解像度の設定に応じて表示幅が変化する。
アイコン画像の横幅がアイコン文字列の表示幅よりも大きい場合には、ツールバー表示設定記憶手段２０５の表示方法３１３を「合成」とし、アイコン画像とアイコン文字列とを合成したアイコン画像を生成する（ステップ７０２）。
一方、アイコン画像の横幅がアイコン文字列以下の場合には、ツールバー表示設定記憶手段２０５の表示方法３１３を「ポップアップ」とし、アイコン文字列をポップアップ表示するように設定する（ステップ７０３）。
以上の設定に応じて、ツールバー上にアイコン画像を表示する（ステップ７０４）。
【００１４】
図８は、アイコン文字列の表示方法決定処理の一例として、表示画面の解像度設定変更に伴う表示方法決定処理を示す図である。
図８（ａ）に示すように、表示環境が高解像度に設定されている場合には、表示画面８００全体に占めるツールバー８０１Ａの表示領域は小さくなるが、フォントサイズも小さくなるため、アイコン画像内にアイコン文字列を合成して表示する。
一方、図８（ｂ）に示すように、表示環境が低解像度に設定されている場合には、表示画面８００全体に占めるツールバー８０１Ｂの表示領域が大きくなる。従って、ツールバー８０１Ｂの表示領域が最大表示領域から出ることとなるため、ツールバー表示処理によりアイコンサイズを縮小し、ツールバー８０１Ｃの必要表示領域を小さくする（図８（ｃ）参照）。この場合、アイコンサイズの縮小に応じて、アイコン画像サイズ（幅）が縮小されることにより、アイコン文字列の表示幅がアイコン画像サイズを超えるため、アイコン文字列表示方法を「合成」ではなく、「ポップアップ」とし、例えば、アイコンにタッチペン５のペン先が近接したときにアイコン文字列８０２をポップアップ表示する。
【００１５】
以上のように、本実施の形態に係る電子ボードシステムによれば、電子ボードシステムの表示環境に応じたツールバーの表示設定の変更を行うことができるため、作業領域を圧迫することなく、共通のツールバーを利用させることが可能となる。従って、ユーザにとっては、異なる表示環境毎にツールバーのカスタマイズを行う必要が無くなる。
また、この場合のツールバーの表示変更として、登録アイコンの表示サイズの変更とツールバーの表示行数の変更とのいずれかを行うこととしたので、ツールバーの最大表示領域の設定に応じた適切な表示設定の変更が可能となる。
また、各アイコンに設定された文字列の表示方法を、アイコン表示サイズに応じて変更することとしたので、画面の表示環境に応じた適切な文字列表示を行うことができる。
【００１６】
なお、本発明は、前記実施の形態に限られるものではなく、同様の処理が可能であれば、各処理手段の構成及び各情報記憶手段に格納される情報を変更してもよい。
また、前記実施の形態では、登録アイコンの表示サイズの変更及びツールバーの表示行数の変更を行うこととしているが、これに限らず、登録アイコンの表示サイズの変更のみを行うこととしてもよい。
また、表示設定情報の既定値は、ユーザにより任意に設定可能としてもよい。
【図面の簡単な説明】
【００１７】
【図１】本発明の一実施の形態に係る電子ボードシステムの概略構成を示す図である。
【図２】本発明の一実施の形態に係るツールバー表示制御手段の概略構成を示すブロック図である。
【図３】各情報格納手段のデータ構造の一例を示す図である。
【図４】電子ボードシステムにおける表示画面の一例を示す図である。
【図５】本発明の一実施の形態に係るツールバー表示制御手段によるツールバー表示処理手順を示す図である。
【図６】ツールバー表示制御手段によるツールバー表示処理の具体例を示す図である。
【図７】アイコン文字列の表示方法決定処理手順を示す図である。
【図８】アイコン文字列の表示方法決定処理の具体例を示す図である。
【符号の説明】
【００１８】
１Ａ，１Ｂ  電子ボードシステム、２  制御用コンピュータ、３  電子ホワイトボード、４  表示画面投影装置、５  タッチペン、６  キーボード、７  小型電子ボード、２００  ツールバー表示制御手段、２０１  表示領域算出手段、２０２  表示アイコンサイズ変更手段、２０３  ツールバー表示行数変更手段、２０４  アイコン文字列表示方法決定手段、２０５  ツールバー表示設定記憶手段、２０６  登録アイコン記憶手段。
【図１】
2006092269.tif 000003
【図２】
2006092269.tif 000004
【図３】
2006092269.tif 000005
【図４】
2006092269.tif 000006
【図５】
2006092269.tif 000007
【図７】
2006092269.tif 000008
【図６】
2006092269.tif 000009
【図８】
2006092269.tif 000010